(57)【特許請求の範囲】
【請求項１】
保存対象データを管理するデータ管理ユニットと、それぞれが任意の記憶容量を有する記憶手段を有し前記データ管理ユニットとネットワークによって接続される複数台の記憶ユニットとを備え、
前記データ管理ユニットは、
前記保存対象データを前記複数台の記憶ユニットに保存させるための保存要求を行う保存要求手段を有し、
前記複数台の記憶ユニットのそれぞれは、
前記保存対象データを送受信する通信手段と、
前記データ管理ユニットで前記保存要求が行われると、前記通信手段で受信された前記保存対象データのうち、自己の記憶手段の記憶容量の残量である記憶残量に応じたデータのみを分割データとして分割し、当該分割データを当該自己の記憶手段に記憶させる記憶制御手段と、
前記記憶制御手段によって前記分割データが前記自己の記憶手段に記憶された後に前記保存対象データが残っている場合、残りの保存対象データを他の記憶ユニットの１台のみに送信するように前記通信手段を制御する送信制御手段とを有する
ことを特徴とするデータ保存システム。
【請求項２】
前記データ管理ユニット及び前記複数台の記憶ユニットと前記ネットワークによって接続される中継ユニットを備え、
前記中継ユニットは、
前記データ管理ユニットで前記保存要求が行われると前記複数台の記憶ユニットに対して前記記憶残量の確認要求を行い当該複数台の記憶ユニットの全ての記憶残量に関する記憶残量情報を取得する記憶残量確認手段と、
前記データ管理ユニットからの前記保存対象データを最も記憶残量の大きい記憶ユニットに中継する中継手段とを有する
ことを特徴とする請求項１記載のデータ保存システム。
【請求項３】
前記複数台の記憶ユニットの前記送信制御手段は、前記中継ユニットから前記記憶残量情報を取得し、前記記憶制御手段によって前記分割データが前記記憶手段に記憶された後に前記保存対象データが残っている場合、残りの保存対象データを次に記憶残量の大きい記憶ユニットに送信するように前記通信手段を制御することを特徴とする請求項２記載のデータ保存システム。
【請求項４】
前記データ管理ユニットは、
前記複数台の記憶ユニットに直接又は間接的に前記保存対象データの収集要求を一斉に行う収集要求手段と、
前記複数台の記憶ユニットから複数の前記分割データを当該分割データ間を結合させるためのインデックス情報とともに取得し当該インデックス情報によって複数の前記分割データを結合して前記保存対象データを復元する復元手段とを有し、
前記複数台の記憶ユニットのそれぞれは、返送制御手段を有し、前記記憶制御手段が、前記分割データとともに前記インデックス情報を前記記憶手段に記憶させ、前記返送制御手段が、前記データ管理ユニットで前記収集要求が行われると、前記記憶手段に記憶されている前記分割データを前記インデックス情報とともに前記データ管理ユニットに送信するように前記通信手段を制御する
ことを特徴とする請求項１乃至３の何れか１項に記載のデータ保存システム。
【請求項５】
前記データ管理ユニットは、
前記中継ユニットに前記保存対象データの収集要求を行う収集要求手段と、
前記複数台の記憶ユニットから複数の前記分割データを順に取得し取得した順に複数の前記分割データを結合して前記保存対象データを復元する復元手段とを有し、
前記中継ユニットは、
前記データ管理ユニットで前記収集要求が行われると最も大きい分割データを記憶する記憶ユニットに当該分割データの返送要求を行う返送要求手段を有し、
前記複数台の記憶ユニットのそれぞれは、
前記返送要求が行われると前記記憶手段に記憶されている前記分割データを前記データ管理ユニットに送信するように前記通信手段を制御する返送制御手段と、
前記返送制御手段の制御による前記分割データの送信が終了すると前記送信制御手段の制御によって前記残りの保存対象データが送信された記憶ユニットに当該記憶ユニットに記憶されている分割データの返送要求を行う第２の返送要求手段とを有する
ことを特徴とする請求項２又は３記載のデータ保存システム。
【請求項６】
前記データ管理ユニットは、
前記中継ユニットに前記保存対象データの収集要求を行う収集要求手段と、
前記複数台の記憶ユニットから複数の前記分割データを順に取得し取得した順に複数の前記分割データを結合して前記保存対象データを復元する復元手段とを有し、
前記中継ユニットは、
前記データ管理ユニットで前記収集要求が行われると最も大きい分割データを記憶する記憶ユニットに当該分割データの返送要求を行う返送要求手段を有し、
前記複数台の記憶ユニットのそれぞれは、
前記返送要求が行われると前記記憶手段に記憶されている前記分割データを前記データ管理ユニットに送信するように前記通信手段を制御する返送制御手段と、
前記返送制御手段の制御によって送信された前記分割データより小さい分割データを記憶する記憶ユニットが存在する場合に当該返送制御手段の制御による当該分割データの送信が終了すると当該分割データの次に大きい分割データを記憶する記憶ユニットに当該分割データの次に大きい分割データの返送要求を行う第２の返送要求手段とを有する
ことを特徴とする請求項３記載のデータ保存システム。
【請求項７】
前記中継ユニット及び前記複数台の記憶ユニットで構成される記憶システムを複数備えることを特徴とする請求項２又は３記載のデータ保存システム。
【請求項８】
前記中継ユニットは、前記複数台の記憶ユニットのうちの１台の記憶ユニットと一体であることを特徴とする請求項２又は３記載のデータ保存システム。
【請求項９】
保存対象データを管理し当該保存対象データを保存させるための保存要求を行うデータ管理ユニットとネットワークによって接続される記憶ユニットであって、
任意の記憶容量を有する記憶手段と、
前記保存対象データを送受信する通信手段と、
前記データ管理ユニットで前記保存要求が行われると、前記通信手段で受信された前記保存対象データのうち、自己の記憶手段の記憶容量の残量である記憶残量に応じたデータのみを分割データとして分割し、当該分割データを当該自己の記憶手段に記憶させる記憶制御手段と、
前記記憶制御手段によって前記分割データが前記自己の記憶手段に記憶された後に前記保存対象データが残っている場合、残りの保存対象データを他の記憶ユニットの１台のみに送信するように前記通信手段を制御する送信制御手段とを有する
ことを特徴とする記憶ユニット。
【発明の詳細な説明】
【技術分野】
【０００１】
本発明は、データの分散記憶に用いられるデータ保存システム及び記憶ユニットに関するものである。
【背景技術】
【０００２】
データ（保存対象データ）の分散記憶に用いられる従来のデータ保存システムとして、ＬＡＮ（ローカルエリアネットワーク）に接続された複数台のユーザＰＣ（記憶ユニット）とバックアップ管理サーバ（データ管理ユニット）とを備えるシステムが知られている（例えば、特許文献１参照）。特許文献１のシステムは、何れかのユーザＰＣがユーザからファイル（保存対象データ）のバックアップ指示を受けると、バックアップ指示を受けたユーザＰＣからバックアップ管理サーバにバックアップ要求が送信される。バックアップ要求を受信したバックアップ管理サーバは、バックアップ対象のファイルを複数に分割して、分割した各ファイル（分割データ）を各ユーザＰＣに記憶させる。
【０００３】
また、特許文献１の他のシステムとして、インターネットに接続された複数台のクライアント装置（記憶ユニット）を備えるものが知られている。このシステムでは、何れかのクライアント装置がユーザからファイル（保存対象データ）のバックアップ指示を受けると、バックアップ指示を受けたクライアント装置が、バックアップ対象のファイルを複数に分割して、分割した各ファイル（分割データ）を各クライアント装置に記憶させる。
【特許文献１】特開２００４−１０２８４２号公報
【発明の開示】
【発明が解決しようとする課題】
【０００４】
しかしながら、特許文献１のシステムでは、バックアップ指示を受けた端末装置又はバックアップ管理サーバが、保存対象データを全て分割し、各記憶ユニットに記憶させるための分割データを全て作成している。このため、特許文献１のシステムには、保存対象データを分散記憶する際に特定のユニット（バックアップ指示を受けた端末装置又はバックアップ管理サーバ）に負荷が集中するという問題があった。
【０００５】
本発明は上記の点に鑑みて為されたものであり、その目的は、保存対象データを分散記憶する際に特定のユニットに負荷が集中することを防止できるデータ保存システム及び記憶ユニットを提供することにある。
【課題を解決するための手段】
【０００６】
請求項１の発明は、保存対象データを管理するデータ管理ユニットと、それぞれが任意の記憶容量を有する記憶手段を有し前記データ管理ユニットとネットワークによって接続される複数台の記憶ユニットとを備え、前記データ管理ユニットは、前記保存対象データを前記複数台の記憶ユニットに保存させるための保存要求を行う保存要求手段を有し、前記複数台の記憶ユニットのそれぞれは、前記保存対象データを送受信する通信手段と、前記データ管理ユニットで前記保存要求が行われると、前記通信手段で受信された前記保存対象データのうち、自己の記憶手段の記憶容量の残量である記憶残量に応じたデータのみを分割データとして分割し、当該分割データを当該自己の記憶手段に記憶させる記憶制御手段と、前記記憶制御手段によって前記分割データが前記自己の記憶手段に記憶された後に前記保存対象データが残っている場合、残りの保存対象データを他の記憶ユニットの１台のみに送信するように前記通信手段を制御する送信制御手段とを有することを特徴とする。
【０００７】
請求項２の発明は、請求項１の発明において、前記データ管理ユニット及び前記複数台の記憶ユニットと前記ネットワークによって接続される中継ユニットを備え、前記中継ユニットは、前記データ管理ユニットで前記保存要求が行われると前記複数台の記憶ユニットに対して前記記憶残量の確認要求を行い当該複数台の記憶ユニットの全ての記憶残量に関する記憶残量情報を取得する記憶残量確認手段と、前記データ管理ユニットからの前記保存対象データを最も記憶残量の大きい記憶ユニットに中継する中継手段とを有することを特徴とする。
【０００８】
請求項３の発明は、請求項２の発明において、前記複数台の記憶ユニットの前記送信制御手段は、前記中継ユニットから前記記憶残量情報を取得し、前記記憶制御手段によって前記分割データが前記記憶手段に記憶された後に前記保存対象データが残っている場合、残りの保存対象データを次に記憶残量の大きい記憶ユニットに送信するように前記通信手段を制御することを特徴とする。
【０００９】
請求項４の発明は、請求項１乃至３の何れか１項の発明において、前記データ管理ユニットは、前記複数台の記憶ユニットに直接又は間接的に前記保存対象データの収集要求を一斉に行う収集要求手段と、前記複数台の記憶ユニットから複数の前記分割データを当該分割データ間を結合させるためのインデックス情報とともに取得し当該インデックス情報によって複数の前記分割データを結合して前記保存対象データを復元する復元手段とを有し、前記複数台の記憶ユニットのそれぞれは、返送制御手段を有し、前記記憶制御手段が、前記分割データとともに前記インデックス情報を前記記憶手段に記憶させ、前記返送制御手段が、前記データ管理ユニットで前記収集要求が行われると、前記記憶手段に記憶されている前記分割データを前記インデックス情報とともに前記データ管理ユニットに送信するように前記通信手段を制御することを特徴とする。
【００１０】
請求項５の発明は、請求項２又は３の発明において、前記データ管理ユニットは、前記中継ユニットに前記保存対象データの収集要求を行う収集要求手段と、前記複数台の記憶ユニットから複数の前記分割データを順に取得し取得した順に複数の前記分割データを結合して前記保存対象データを復元する復元手段とを有し、前記中継ユニットは、前記データ管理ユニットで前記収集要求が行われると最も大きい分割データを記憶する記憶ユニットに当該分割データの返送要求を行う返送要求手段を有し、前記複数台の記憶ユニットのそれぞれは、前記返送要求が行われると前記記憶手段に記憶されている前記分割データを前記データ管理ユニットに送信するように前記通信手段を制御する返送制御手段と、前記返送制御手段の制御による前記分割データの送信が終了すると前記送信制御手段の制御によって前記残りの保存対象データが送信された記憶ユニットに当該記憶ユニットに記憶されている分割データの返送要求を行う第２の返送要求手段とを有することを特徴とする。
【００１１】
請求項６の発明は、請求項３の発明において、前記データ管理ユニットは、前記中継ユニットに前記保存対象データの収集要求を行う収集要求手段と、前記複数台の記憶ユニットから複数の前記分割データを順に取得し取得した順に複数の前記分割データを結合して前記保存対象データを復元する復元手段とを有し、前記中継ユニットは、前記データ管理ユニットで前記収集要求が行われると最も大きい分割データを記憶する記憶ユニットに当該分割データの返送要求を行う返送要求手段を有し、前記複数台の記憶ユニットのそれぞれは、前記返送要求が行われると前記記憶手段に記憶されている前記分割データを前記データ管理ユニットに送信するように前記通信手段を制御する返送制御手段と、前記返送制御手段の制御によって送信された前記分割データより小さい分割データを記憶する記憶ユニットが存在する場合に当該返送制御手段の制御による当該分割データの送信が終了すると当該分割データの次に大きい分割データを記憶する記憶ユニットに当該分割データの次に大きい分割データの返送要求を行う第２の返送要求手段とを有することを特徴とする。
【００１２】
請求項７の発明は、請求項２又は３の発明において、前記中継ユニット及び前記複数台の記憶ユニットで構成される記憶システムを複数備えることを特徴とする。
【００１３】
請求項８の発明は、請求項２又は３の発明において、前記中継ユニットは、前記複数台の記憶ユニットのうちの１台の記憶ユニットと一体であることを特徴とする。
請求項９の発明は、保存対象データを管理し当該保存対象データを保存させるための保存要求を行うデータ管理ユニットとネットワークによって接続される記憶ユニットであって、任意の記憶容量を有する記憶手段と、前記保存対象データを送受信する通信手段と、前記データ管理ユニットで前記保存要求が行われると、前記通信手段で受信された前記保存対象データのうち、自己の記憶手段の記憶容量の残量である記憶残量に応じたデータのみを分割データとして分割し、当該分割データを当該自己の記憶手段に記憶させる記憶制御手段と、前記記憶制御手段によって前記分割データが前記自己の記憶手段に記憶された後に前記保存対象データが残っている場合、残りの保存対象データを他の記憶ユニットの１台のみに送信するように前記通信手段を制御する送信制御手段とを有することを特徴とする。
【発明の効果】
【００１４】
請求項１の発明によれば、各記憶ユニットが自己の記憶残量に応じて保存対象データを分割して分割データとして記憶することによって、複数台の記憶ユニットに保存対象データを分散記憶することができるので、保存対象データを分散記憶する際に、特定のユニットが保存対象データを分割して全ての分割データを作成する場合に比べて、特定のユニットに負荷が集中することを防止できる。
【００１５】
請求項２の発明によれば、記憶残量が最も大きい記憶ユニットに優先的に記憶させることができるので、保存対象データを分散記憶する際に、特定のユニットに負荷が集中することをより防止できる。
【００１６】
請求項３の発明によれば、記憶残量が大きい記憶ユニットから優先的に記憶させることができるので、保存対象データを効率よく記憶させることができる。
【００１７】
請求項４の発明によれば、データ管理ユニットが保存対象データを収集するときに、複数台の記憶ユニットが分割データをインデックス情報とともにデータ管理ユニットに送信制御することによって、データ管理ユニットが、インデックス情報を用いて、収集した分割データを結合して保存対象データを復元することができる。
【００１８】
請求項５の発明によれば、データ管理ユニットが保存対象データを収集するときに、複数台の記憶ユニットが大きな分割データから順にデータ管理ユニットに送信することによって、データ管理ユニットが、収集した順に分割データを結合して保存対象データを復元することができる。
【００１９】
請求項６の発明によれば、データ管理ユニットが保存対象データを収集するときに、複数台の記憶ユニットが大きな分割データから順にデータ管理ユニットに送信することによって、データ管理ユニットが、収集した順に分割データを結合して保存対象データを復元することができる。
【００２０】
請求項７の発明によれば、中継ユニット及び複数台の記憶ユニットで構成される複数の記憶システムを備えることによって、より多くの記憶ユニットに保存対象データを分散させて記憶させることができる。
【００２１】
請求項８の発明によれば、１台の記憶ユニットを中継ユニットにすることによって、保存対象データを分散記憶しない中継ユニットを別途備える場合に比べて、コストを低減させることができる。
【発明を実施するための最良の形態】
【００２２】
（実施形態１）
本発明では、例えば照明機器や冷暖房機器などの各種設備機器の動作状態を監視することと各種設備機器を制御することとを総称して設備機器の「管理」という。したがって、設備機器の管理は、設備機器の監視と制御の少なくとも一方を意味する。また、管理対象となる設備機器が配置されている領域の全体を「管理領域」といい、管理領域を複数の小領域に分割したときの一つの小領域を「エリア」という。
【００２３】
管理領域は、オフィスビル・集合住宅・病院・学校・ホテル・体育館・美術館・博物館・ショッピングセンタのような各種建物内、複数の建物を含む集合住宅の敷地内、土地開発された複数個の住戸を含むひとまとまりの住宅地内、テーマパーク内、公園内のような広範囲の空間であって、設備機器が多数配置される空間に相当する。一方、エリアは、建物の各階若しくは各室、又は土地を適宜に区切ったときの各区画に相当する。
【００２４】
以下に説明する実施形態では、監視及び制御の対象となる設備機器として照明機器を例示し、監視の対象となる機器として電気計量（電圧、電流、電力などの計量）を行う計量機器を例示する。
【００２５】
続いて、実施形態１の機器管理システム（データ保存システム）の構成について図１〜７を用いて説明する。この機器管理システムは、エリアごとに設備機器を管理するものであり、図１に示すように、システム全体を統括制御するセンターサーバ１と、それぞれに設備機器が接続されセンターサーバ１の制御又は指示によって設備機器の制御及び監視を行う複数のエリアサブシステム２，２とを備えている。センターサーバ１及び複数のエリアサブシステム２，２は、ＬＡＮである上位層の通信ネットワーク（以下、「上位ネット」という。）Ｎｓによって接続されている。
【００２６】
上位ネットＮｓは、ネットワーク層ではＩＰｖ６に対応したＩＰプロトコルを用い、上位層のプロトコルとして独自プロトコルが用いられている。上位ネットＮｓには、センターサーバ１を監視制御する管理用コンピュータ３が接続されている。
【００２７】
各エリアサブシステム２は、センターサーバ１と上位ネットＮｓによって接続されているエリアユニット４と、エリアユニット４と中位層のネットワーク（以下、「中位ネット」という。）Ｎｍによってそれぞれ接続されている複数台の制御ユニット５，５，５と、エリアユニット４と中位ネットＮｍによって接続されている管理ユニット６とを備えている。
【００２８】
各制御ユニット５としては、照明機器Ｌｄの監視及び制御を行う第１の制御ユニット（照明制御ユニット）５ａ及び第３の制御ユニット（照明制御ユニット）５ｃと、計量機器Ｍｓの監視を行う第２の制御ユニット（計量管理ユニット）５ｂとがある。照明制御ユニット５ａ，５ｃに接続された下位層のネットワーク（以下、「下位ネット」という。）Ｎｉ１は、２線式の信号線Ｌｓ１を伝送される固定長の伝送信号を用いた時分割多重伝送方式の通信ネットワークを構築している。計量管理ユニット５ｂに接続された下位ネットＮｉ２は、ＲＳ−４８５、ＲＳ−２３２Ｃなどのシリアル通信による通信ネットワーク又はＥｔｈｅｒｎｅｔ（登録商標）による通信ネットワークを構築し、信号線Ｌｓ２を通して情報を授受する。
【００２９】
ここで、下位ネットＮｉ１を構築する負荷制御システムの動作について説明する。伝送装置ＣＮが一定時間ごとに固定長の伝送信号を信号線Ｌｓ１に送出し、スイッチＳＷの操作時に、操作用端末器ＴＵ１が、上記伝送信号に同期するタイミングで割込信号を信号線Ｌｓ１に送出する。伝送装置ＣＮは、割込信号を受信すると、伝送信号によってアドレスの返送を要求する。伝送信号には、操作用端末器ＴＵ１から返送される情報を載せるタイムスロットが設けられている。
【００３０】
伝送装置ＣＮから伝送信号によってアドレスの返送が要求されると、割込信号を発生した操作用端末器ＴＵ１は、上記タイムスロットにおいて自己のアドレスを伝送装置ＣＮに返送する。伝送装置ＣＮは、取得したアドレスを指定する伝送信号により操作用端末器ＴＵ１からスイッチＳＷのオン・オフの状態を獲得する。さらに、スイッチＳＷと照明機器Ｌｄとのアドレスを関係付けた関係テーブルと照合することによって、スイッチＳＷに対応付けた照明機器Ｌｄに対してアドレスを指定して制御用端末器ＴＵ２を介して伝送信号を伝送し、操作用端末器ＴＵ１から獲得したスイッチＳＷのオン・オフの状態に従って照明機器Ｌｄの点灯・消灯を制御する。
【００３１】
照明制御ユニット５ａ，５ｃは、信号線Ｌｓ１に接続されているから、伝送信号を監視することによって照明機器Ｌｄの動作状態を取得することができる。また、操作用端末器ＴＵ１と同じ動作が可能であって、照明機器Ｌｄの点灯・消灯を指示することができる。
【００３２】
計量管理ユニット５ｂは、信号線Ｌｓ２に接続されている計量機器Ｍｓとの間でシリアル通信を行うことにより、計量機器Ｍｓに指示を与え、また計量機器Ｍｓからの情報を獲得する。計量機器Ｍｓは、例えば、照明機器Ｌｄの動作中の電圧、電流、電力の瞬時値や積算値を計測する。したがって、計量管理ユニット５ｂは計量機器Ｍｓから取得する計量情報によって照明機器Ｌｄの動作などを監視することができる。
【００３３】
エリアユニット４は、後述の設定情報を用いて、照明制御ユニット５ａ，５ｃとの通信により照明機器Ｌｄの動作状態の取得及び指示が可能である。また、エリアユニット４は、計量管理ユニット５ｂとの通信により計量機器Ｍｓが計量した計量情報を取得することが可能である。上記設定情報には、通信設定情報データと、機器管理設定情報データとが含まれる。
【００３４】
通信設定情報データには、通信時の送信元のＩＰアドレスと、通信時の送信先のＩＰアドレスと、エリア内でのブロードキャストアドレスとが含まれている。さらに、通信設定情報データとしては、エリアユニット４と接続される照明制御ユニット５ａ，５ｃ及び計量管理ユニット５ｂを個別に管理する管理番号に、照明制御ユニット５ａ，５ｃ及び計量管理ユニット５ｂのＩＰアドレスを関係付けた対応テーブルを有している。
【００３５】
機器管理設定情報データには、エリアユニット４が接続されるエリア内で接続可能なユニット（エリアユニット４、照明制御ユニット５ａ，５ｃ、計量管理ユニット５ｂ、管理ユニット６を含む）の最大台数と、エリアに実際に接続されている台数との情報が含まれている。
【００３６】
エリアユニット４は、照明制御ユニット５ａ，５ｃの管理下にある照明機器Ｌｄの動作状態の取得要求を行い、動作状態を取得する。さらに、エリアユニット４は、取得した動作状態をセンターサーバ１に送信する。ここで、エリアユニット４は、センターサーバ１から照明機器Ｌｄの制御要求を受け取ったときには、照明制御ユニット５ａ，５ｃに照明機器Ｌｄの制御を要求する。
【００３７】
管理ユニット６は、エリアユニット４が管理する中位ネットＮｍ及び下位ネットＮｉ１，Ｎｉ２に含まれる照明機器Ｌｄや計量機器Ｍｓを含む機器の種別及び通信アドレスを記憶し、また照明制御ユニット５ａ，５ｃ、計量管理ユニット５ｂ、エリアユニット４に設定されたデータのバックアップを保存する。また、管理ユニット６は、エリアユニット４ごとの設定情報を保持している。さらに、管理ユニット６は、バックアップ用の情報を記憶しているから、エリアユニット４の修理又は交換が終了した後には、管理ユニット６からバックアップ用の情報をエリアユニット４に転送することによって、エリアユニット４を復旧させることが可能である。
【００３８】
続いて、センターサーバ１の構成について、保存対象データＤ（図７参照）の分散記憶を中心に、図２を用いて説明する。センターサーバ１は、保存対象データＤを管理するものであり、各エリアユニット４及び管理ユニット６との間で通信を行う通信部１０と、保存対象データＤを記憶する記憶部１１と、センターサーバ１全体の制御を行う制御部１２とを備えている。本実施形態のセンターサーバ１は、データ管理ユニットに対応する。
【００３９】
通信部１０は、制御部１２の制御によって信号を送信し、上位ネットＮｓ（図１参照）を介して受信した信号を制御部１２に出力する。
【００４０】
制御部１２は、保存対象データＤをエリアユニット４及び複数台の制御ユニット５，５，５の少なくとも２台以上に保存させるための保存要求を行う保存要求部（保存要求手段）１３と、エリアユニット４に保存対象データＤの収集要求を行う収集要求部（収集要求手段）１４と、各制御ユニット５で分散記憶された複数の分割データＤ１〜Ｄ３（図７参照）から保存対象データＤを復元する復元部（復元手段）１５とを備えている。
【００４１】
保存要求部１３は、保存対象データＤを複数の分割データＤ１〜Ｄ３として分散記憶させるときに、上記保存要求に対応する保存要求信号をエリアユニット４に送信するように通信部１０を制御する。このとき、保存要求信号は、通信部１０からエリアユニット４に送信される。
【００４２】
収集要求部１４は、保存対象データＤを複数の分割データＤ１〜Ｄ３として各制御ユニット５に分散記憶させた後、分散記憶されている分割データＤ１〜Ｄ３を収集するときに、分割データＤ１〜Ｄ３の収集要求に対応する収集要求信号をエリアユニット４に送信するように通信部１０を制御する。このとき、収集要求信号は、通信部１０からエリアユニット４に送信される。
【００４３】
復元部１５は、収集要求部１４の制御によって収集要求信号がエリアユニット４に送信された後、エリアユニット４及び各制御ユニット５からの分割データＤ１〜Ｄ３を後述のインデックス情報Ｉ１，Ｉ２（図７参照）とともに通信部１０を介して取得する。インデックス情報Ｉ１，Ｉ２とは、分割データＤ１〜Ｄ３間を結合させるための固有の符号をいう。全ての分割データＤ１〜Ｄ３及びインデックス情報Ｉ１，Ｉ２を取得した復元部１５は、インデックス情報Ｉ１，Ｉ２によって複数の分割データＤ１〜Ｄ３を結合して保存対象データＤを復元する。
【００４４】
エリアユニット４は、図３に示すように、任意の記憶容量を有する記憶部（記憶手段）４０と、上位ネットＮｓ（図１参照）を用いてセンターサーバ１との間で通信を行う上位通信部４１と、中位ネットＮｍ（図１参照）を用いて各制御ユニット５との間で通信を行う下位通信部４２と、エリアユニット４全体の制御を行う制御部４３とを備えている。本実施形態のエリアユニット４は、中継ユニットと記憶ユニットとの両方を備えるものに対応する。
【００４５】
上位通信部４１は、制御部４３の制御によって信号を送信し、上位ネットＮｓを介して受信した信号を制御部４３に出力する。下位通信部４２は、制御部４３の制御によって信号を送信し、中位ネットＮｍを介して受信した信号を制御部４３に出力する。
【００４６】
制御部４３は、エリアユニット４及び各制御ユニット５の記憶残量を確認する記憶残量確認部（記憶残量確認手段）４４と、センターサーバ１からの保存対象データＤ（図７参照）を中継する中継部（中継手段）４５と、保存対象データＤの一部を分割データＤ１〜Ｄ３（図７参照）として記憶部４０に記憶させる記憶制御部（記憶制御手段）４６と、センターサーバ１からの保存対象データＤを制御ユニット５に送信させる送信制御部（送信制御手段）４７と、各制御ユニット５に対して分割データＤ１〜Ｄ３の返送要求を行う返送要求部（返送要求手段）４８と、分割データＤ１〜Ｄ３をセンターサーバ１に送信させる返送制御部（返送制御手段）４９とを備えている。
【００４７】
記憶残量確認部４４は、センターサーバ１からの保存要求信号が上位通信部４１で受信されると、各制御ユニット５に対して記憶部５０の記憶容量の残量である記憶残量の確認要求に対応する確認要求信号を送信するように下位通信部４２を制御する。各制御ユニット５の記憶残量を確認した記憶残量確認部４４は、エリアユニット４及び各制御ユニット５の記憶残量に関する記憶残量情報を保持するとともに、上記記憶残量情報を共有するために各制御ユニット５に送信するように下位通信部４２を制御する。記憶残量情報は、下位通信部４２から各制御ユニット５に送信される。
【００４８】
また、記憶残量確認部４４は、保存対象データＤの通信許可に対応する通信許可信号をセンターサーバ１に送信するように上位通信部４１を制御する。
【００４９】
中継部４５は、記憶残量確認部４４でエリアユニット４及び各制御ユニット５の記憶残量が確認された後、何れかの制御ユニット５が最も記憶残量の大きいものである場合、上位通信部４１で受信されたセンターサーバ１からの保存対象データＤを最も記憶残量の大きい制御ユニット５に送信するように下位通信部４２を制御する。これに対して、エリアユニット４が最も記憶残量の大きいものである場合、中継部４５は、センターサーバ１からの保存対象データＤを記憶制御部４６に出力する。保存対象データＤは、上位通信部４１で受信されてから下位通信部４２から送信されるまでの間又は上位通信部４１で受信されてから記憶制御部４６に出力されるまでの間、一時記憶部４５０に一時記憶され、下位通信部４２から最も記憶残量の大きい制御ユニット５に送信されたり、記憶制御部４６に出力されたりする。
【００５０】
記憶制御部４６は、下位通信部４２で受信された保存対象データＤ又は中継部４５から入力された保存対象データＤのうち記憶残量に応じたデータを分割データＤ１〜Ｄ３として記憶部４０に記憶させる。このとき、記憶制御部４６は、分割データＤ１〜Ｄ３とともにインデックス情報Ｉ１，Ｉ２（図７参照）を記憶部４０に記憶させる。
【００５１】
送信制御部４７は、記憶制御部４６によって分割データＤ１〜Ｄ３が記憶部４０に記憶された後に保存対象データＤが残っている場合、残りの保存対象データＤを次に記憶残量の大きい制御ユニット５に送信するように下位通信部４２を制御する。
【００５２】
返送要求部４８は、センターサーバ１からの収集要求信号が上位通信部４１で受信されると、分割データＤ１〜Ｄ３の返送要求に対応する返送要求信号を各制御ユニット５に送信するように下位通信部４２を制御する。
【００５３】
返送制御部４９は、センターサーバ１からの収集要求信号が上位通信部４１で受信されると、記憶部４０に記憶されている分割データＤ１〜Ｄ３をインデックス情報Ｉ１，Ｉ２とともにセンターサーバ１に送信するように上位通信部４１を制御する。
【００５４】
記憶部４０は、図５に示すように、ＯＳ・ミドルウェア領域４００と、アプリケーション領域４０１と、ストレージ領域４０２とを有している。分割データＤ１〜Ｄ３（図７参照）は、ストレージ領域４０２のうち空き領域４０３の一部であるフリー領域４０４に記憶される。
【００５５】
各制御ユニット５は、基本的な構成がエリアユニット４と同様の構成であり、図４に示すように、任意の記憶容量を有する記憶部（記憶手段）５０と、中位ネットＮｍ（図１参照）を用いてエリアユニット４及び他の制御ユニット５との間で通信を行う上位通信部（通信手段）５１と、下位ネットＮｉ１，Ｎｉ２（図１参照）を用いて設備機器との間で通信を行う下位通信部５２と、制御ユニット５全体の制御を行う制御部５３とを備えている。本実施形態の各制御ユニット５は、記憶ユニットに対応する。
【００５６】
上位通信部５１は、制御部５３の制御によって信号を送信し、中位ネットＮｍを介して受信した信号を制御部５３に出力する。例えば、上位通信部５１は、エリアユニット４又は他の制御ユニット５から保存対象データＤ（図７参照）を受信する。
【００５７】
制御部５３は、分割データＤ１〜Ｄ３（図７参照）を記憶部５０に記憶させる記憶制御部（記憶制御手段）５４と、保存対象データＤを他の制御ユニット５又はエリアユニット４に送信させる送信制御部（送信制御手段）５５と、分割データＤ１〜Ｄ３をセンターサーバ１に送信させる返送制御部（返送制御手段）５６とを備えている。
【００５８】
記憶制御部５４は、上位通信部５１で受信された保存対象データＤのうち記憶残量に応じたデータを分割データＤ１〜Ｄ３として記憶部５０に記憶させる。このとき、記憶制御部５４は、分割データＤ１〜Ｄ３とともにインデックス情報Ｉ１，Ｉ２（図７参照）を記憶部５０に記憶させる。
【００５９】
送信制御部５５は、記憶制御部５４によって分割データＤ１〜Ｄ３が記憶部５０に記憶された後に保存対象データＤが残っている場合、残りの保存対象データＤを次に記憶残量の大きい制御ユニット５に送信するように上位通信部５１を制御する。残りの保存対象データＤは、上位通信部５１で受信されてから下位通信部５２から送信されるまでの間、一時記憶部５５０に一時記憶され、下位通信部５２から最も記憶残量の大きい制御ユニット５に送信される。
【００６０】
返送制御部５６は、エリアユニット４からの返送要求信号が上位通信部５１で受信されると、記憶部５０に記憶されている分割データＤ１〜Ｄ３をインデックス情報Ｉ１，Ｉ２とともにエリアユニット４を介してセンターサーバ１に送信するように上位通信部５１を制御する。
【００６１】
記憶部５０は、エリアユニット４の記憶部４０（図３参照）と同様の構成であり、図５に示すように、ＯＳ・ミドルウェア領域５００と、アプリケーション領域５０１と、ストレージ領域５０２とを有している。分割データＤ１〜Ｄ３（図７参照）は、ストレージ領域５０２のうち空き領域５０３の一部であるフリー領域５０４に記憶される。
【００６２】
上記のようなエリアユニット４及び各制御ユニット５（第１〜３の制御ユニット５ａ〜５ｃ）において、エリアユニット４及び第１〜３の制御ユニット５ａ〜５ｃの記憶残量が図６に示すようなものである場合、図７（ａ）に示す保存対象データＤは、図７（ｂ）に示すように、第１〜３の制御ユニット５ａ〜５ｃに分割データＤ１〜Ｄ３として分散記憶される。最も記憶残量の大きい第２の制御ユニット５ｂには、最も大きい分割データＤ１が最初に記憶され、２番目に記憶残量の大きい第３の制御ユニット５ｃには、２番目に大きい分割データＤ２が次に記憶され、３番目に記憶残量の大きい第１の制御ユニット５ａには、３番目に大きい分割データＤ３が最後に記憶される。
【００６３】
第１〜３の制御ユニット５ａ〜５ｃに記憶された各分割データＤ１〜Ｄ３において、最初のデータにはヘッダＨが付加される。ヘッダＨには、図７（ｃ）に示すように、保存対象データＤの内容を示す保存対象データ種別情報Ｈ１や、保存対象データＤであることを識別するための保存対象データ識別番号Ｈ２、分割データＤ１〜Ｄ３の保存日時情報Ｈ３で構成されている。
【００６４】
また、各分割データＤ１〜Ｄ３の接続部分には、インデックス情報Ｉ１，Ｉ２が添付され、各インデックス情報Ｉ１，Ｉ２には、図７（ｄ）に示すように、分割データＤ１〜Ｄ３の接続関係を示す判別符号を含まれている。図７（ｂ）に示すように、分割データＤ１のインデックス情報Ｉ１と分割データＤ２のインデックス情報Ｉ１とによって、分割データＤ１の次に分割データＤ２が結合されるようにすることができる。同様に、分割データＤ２のインデックス情報Ｉ２と分割データＤ３のインデックス情報Ｉ２とによって、分割データＤ２の次に分割データＤ３が結合されるようにすることができる。
【００６５】
なお、図６に示すような記憶残量である場合、エリアユニット４の記憶残量が０であるため、エリアユニット４には分割データは記憶されないが、エリアユニット４にも記憶残量がある場合（０ではない場合）、エリアユニット４にも、第１〜３の制御ユニット５ａ〜５ｃと同様に、保存対象データＤの一部である分割データが記憶される。
【００６６】
上述した構成である本実施形態の機器管理システムにおいて、図１に示すセンターサーバ１は、本発明のデータ管理ユニットに相当し、エリアユニット４は、本発明の中継ユニットと一体である記憶ユニットに相当し、各制御ユニット５（第１〜３の制御ユニット５ａ〜５ｃ）は、本発明の記憶ユニットに相当する。
【００６７】
次に、本実施形態の機器管理システムにおいて保存対象データＤ（図７参照）を分散記憶する動作について図８を用いて説明する。まず、センターサーバ１がエリアユニット４に保存要求信号を送信する（図８のＳ１）。エリアユニット４は、全ての制御ユニット５（５ａ〜５ｃ）に確認要求信号を送信する（Ｓ２）。その後、エリアユニット４は、全ての制御ユニット５（５ａ〜５ｃ）の記憶残量情報を取得し、取得した記憶残量情報を全ての制御ユニット５（５ａ〜５ｃ）に送信する（Ｓ３）。その後、エリアユニット４は、センターサーバ１に通信許可信号を送信する（Ｓ４）。
【００６８】
センターサーバ１は、保存対象データＤをエリアユニット４に送信する（Ｓ５）。エリアユニット４は、センターサーバ１からの保存対象データＤを、記憶残量の最も多い第２の制御ユニット５ｂに転送する（Ｓ６）。第２の制御ユニット５ｂは、エリアユニット４からの保存対象データＤを書き込む（Ｓ７）。その後、第２の制御ユニット５ｂは、記憶残量がなくなったか否かを判断する（Ｓ８）。記憶残量がある場合、ステップＳ７に戻り、第２の制御ユニット５ｂは、エリアユニット４からの保存対象データＤを引き続き書き込む。これに対して、記憶残量がなくなった場合、第２の制御ユニット５ｂは、残りの保存対象データＤを第３の制御ユニット５ｃに転送する（Ｓ９）。
【００６９】
第３の制御ユニット５ｃは、第２の制御ユニット５ｂからの保存対象データＤを書き込む（Ｓ１０）。その後、第３の制御ユニット５ｃは、記憶残量がなくなったか否かを判断する（Ｓ１１）。記憶残量がある場合、ステップＳ１０に戻り、第３の制御ユニット５ｃは、第２の制御ユニット５ｂからの保存対象データＤを引き続き書き込む。これに対して、記憶残量がなくなった場合、第３の制御ユニット５ｃは、残りの保存対象データＤを第１の制御ユニット５ａに転送する（Ｓ１２）。
【００７０】
第１の制御ユニット５ａは、第３の制御ユニット５ｃからの保存対象データＤを書き込む（Ｓ１３）。
【００７１】
上記動作を行うことによって、本実施形態の機器管理システムは、センターサーバ１の保存対象データＤを分割データＤ１〜Ｄ３（図７参照）として全て各制御ユニット５（５ａ〜５ｃ）に分散記憶させることができる。なお、上記動作のシーケンス図は図９に示している。
【００７２】
次に、本実施形態の機器管理システムにおいて分散記憶されている保存対象データＤ（図７参照）を収集する動作について図１０を用いて説明する。まず、センターサーバ１がエリアユニット４に収集要求信号を送信する（図１０のＳ２１）。エリアユニット４は、各制御ユニット５（５ａ〜５ｃ）に返送要求信号を送信する（Ｓ２２）。各制御ユニット５（５ａ〜５ｃ）は、センターサーバ１に分割データＤ１〜Ｄ３（図７参照）を返送する（Ｓ２３）。センターサーバ１は、インデックス情報Ｉ１，Ｉ２（図７参照）を用いて分割データＤ１〜Ｄ３を結合して保存対象データＤを復元する（Ｓ２４）。
【００７３】
上記動作を行うことによって、本実施形態の機器管理システムは、各制御ユニット５（５ａ〜５ｃ）に分散記憶されていた分割データＤ１〜Ｄ３を結合して保存対象データＤを復元することができる。なお、上記動作のシーケンス図は図１１に示している。
【００７４】
以上、本実施形態によれば、各制御ユニット５，５，５が自己の記憶残量に応じて保存対象データＤ（図７参照）を分割して分割データＤ１〜Ｄ３（図７参照）として記憶することによって、複数台の制御ユニット５，５，５に保存対象データＤを分散記憶することができるので、保存対象データＤを分散記憶する際に、特定のユニット（例えばセンターサーバや１台の制御ユニットなど）が保存対象データを分割して全ての分割データを作成する場合に比べて、特定のユニットに負荷が集中することを防止できる。特に、本実施形態によれば、記憶残量が最も大きい制御ユニット５から優先的に記憶させることができるので、特定のユニットに負荷が集中することをより防止できるとともに、保存対象データＤを効率よく記憶させることができる。
【００７５】
特に、センターサーバ１側で各制御ユニット５の端末数や記憶残量などを管理する必要がない。また、センターサーバ側で保存対象データＤを分割する必要がない。これにより、本実施形態によれば、保存対象データＤを分散記憶する際に、センターサーバ１の処理を減らすことができる。
【００７６】
また、本実施形態によれば、センターサーバ１が保存対象データＤを収集するときに、複数台の制御ユニット５が分割データＤ１〜Ｄ２（図７参照）をインデックス情報Ｉ１，Ｉ２（図７参照）とともにセンターサーバ１に送信することによって、センターサーバ１が、インデックス情報Ｉ１，Ｉ２を用いて、収集した分割データＤ１〜Ｄ３を結合して保存対象データＤを復元することができる。
【００７７】
さらに、本実施形態によれば、１台の記憶ユニットをエリアユニット４にすることによって、保存対象データＤを分散記憶しない中継ユニットを別途備える場合に比べて、コストを低減させることができる。
【００７８】
なお、実施形態１の機器管理システムは、エリアユニット４及び各制御ユニット５が分割データを記憶するものであるが、実施形態１の変形例として、エリアユニット４は分割データを記憶せずに、各制御ユニット５のみが分割データを記憶するものであってもよい。
【００７９】
また、実施形態１では、センターサーバ１が分割データＤ１〜Ｄ３（分散記憶されている保存対象データＤ）を収集するときに、センターサーバ１がエリアユニット４に収集要求信号を送信し、エリアユニット４が各制御ユニット５に返送要求信号を送信するシステムについて説明したが、実施形態１の変形例として、センターサーバ１が分割データＤ１〜Ｄ３（分散記憶されている保存対象データＤ）を収集するときに、センターサーバ１が、ブロードキャスト又はマルチキャストで各制御ユニット５に対して、直接、収集要求信号を一斉に送信するものであってもよい。
【００８０】
（実施形態２）
実施形態２の機器管理システムは、図１２に示すように、各制御ユニット５がインデックス情報Ｉ１，Ｉ２（図７参照）を付けずに分割データＤ１〜Ｄ３を記憶する点で、実施形態１の機器管理システムと相違する。なお、実施形態１と同様の構成要素については、同一の符号を付して説明を省略する。
【００８１】
図３に示すエリアユニット４の返送要求部４８は、センターサーバ１からの収集要求信号が上位通信部４１で受信されると、最も大きい分割データＤ１を記憶する制御ユニット５に返送要求信号を送信するように下位通信部４２を制御する。返送要求部４８は、保存対象データＤを記憶するときに記憶残量確認部４４で保持される記憶残量情報を用いて、最も記憶残量の大きい制御ユニット５を、最も大きい分割データＤ１を記憶する制御ユニット５としてもよいし、中継部４５による保存対象データＤの送信先の制御ユニット５を、最も大きい分割データＤ１を記憶する制御ユニット５としてもよい。
【００８２】
本実施形態の各制御ユニット５の返送制御部５６は、エリアユニット４又は他の制御ユニット５からの返送要求信号が上位通信部５１で受信されると、記憶部５０に記憶されている分割データＤ１〜Ｄ３を、エリアユニット４を介してセンターサーバ１に送信するように上位通信部５１を制御する。
【００８３】
また、本実施形態の各制御ユニット５は、返送制御部５６の制御によって送信された分割データＤ１，Ｄ２より小さい分割データＤ２，Ｄ３を記憶する制御ユニット５又はエリアユニット４が存在する場合に、返送制御部５６の制御による分割データＤ１，Ｄ２の送信が終了すると、上記分割データＤ１，Ｄ２の次に大きい分割データＤ２，Ｄ３を記憶する制御ユニット５（又はエリアユニット４）に分割データＤ２，Ｄ３の返送要求を行う返送要求部（第２の返送要求手段）５７をさらに備えている。
【００８４】
本実施形態において、分割データＤ１，Ｄ２の次に大きい分割データＤ２，Ｄ３を記憶する制御ユニット５（又はエリアユニット４）とは、保存対象データＤを分散記憶する際に送信制御部５５の制御によって残りの保存対象データＤが送信された制御ユニット５（又はエリアユニット４）である。したがって、返送制御部５６は、上記制御ユニット５（又はエリアユニット４）に分割データＤ２，Ｄ３の返送要求を行うことになる。
【００８５】
本実施形態のセンターサーバ１の復元部１５は、収集要求部１４の制御によって収集要求信号が送信された後、各制御ユニット５からの分割データＤ１〜Ｄ３を順に通信部１０を介して取得する。分割データＤ１〜Ｄ３を取得した復元部１５は、取得した順に分割データＤ１〜Ｄ３を結合して保存対象データＤを復元する。
【００８６】
次に、本実施形態の機器管理システムにおいて分散記憶されている保存対象データＤ（図１２参照）を収集する動作について図１３を用いて説明する。まず、センターサーバ１がエリアユニット４に収集要求信号を送信する（図１３のＳ３１）。エリアユニット４は、最も大きい分割データＤ２（図１２参照）を記憶する第２の制御ユニット５ｂに返送要求信号を送信する（Ｓ３２）。
【００８７】
第２の制御ユニット５ｂは、分割データＤ１をセンターサーバ１に返送する（Ｓ３３）。その後、第２の制御ユニット５ｂは、分割データＤ１を全てセンターサーバ１に返送したか否かを判断する（Ｓ３４）。分割データＤ１を全てセンターサーバ１に返送していれば、第２の制御ユニット５ｂは、２番目に大きい分割データＤ２を記憶する第３の制御ユニット５ｃに返送要求信号を送信する（Ｓ３５）。
【００８８】
第３の制御ユニット５ｃは、分割データＤ２をセンターサーバ１に返送する（Ｓ３６）。その後、第３の制御ユニット５ｃは、分割データＤ２を全てセンターサーバ１に送信したか否かを判断する（Ｓ３７）。分割データＤ２を全てセンターサーバ１に送信していれば、第３の制御ユニット５ｃは、３番目に大きい分割データＤ３を記憶する第１の制御ユニット５ａに返送要求信号を送信する（Ｓ３８）。
【００８９】
第１の制御ユニット５ａは、分割データＤ３をセンターサーバ１に返送する（Ｓ３９）。その後、センターサーバ１は、第１〜３の制御ユニット５ａ〜５ｃからの分割データＤ１〜Ｄ３を結合して保存対象データＤを復元する（Ｓ４０）。
【００９０】
上記動作を行うことによって、本実施形態の機器管理システムは、各制御ユニット５（５ａ〜５ｃ）に分散記憶されていた分割データＤ１〜Ｄ３を結合して保存対象データＤを復元することができる。なお、上記動作のシーケンス図は図１４に示している。
【００９１】
以上、本実施形態によれば、センターサーバ１が保存対象データＤを収集するときに、複数台の制御ユニット５が大きな分割データＤ１〜Ｄ３から順にセンターサーバ１に送信することによって、センターサーバ１が、収集した順に分割データＤ１〜Ｄ３を結合して保存対象データＤを復元することができる。
【００９２】
（実施形態３）
実施形態３の機器管理システムは、保存対象データＤ（図７参照）を複数のエリアサブシステム２，２に分散記憶させる点で、実施形態１，２の機器管理システムと相違する。なお、実施形態１，２と同様の構成要素については、同一の符号を付して説明を省略する。
【００９３】
各エリアサブシステム２は、実施形態１，２のエリアサブシステム２と同様に、エリアユニット４と、複数台の制御ユニット５，５，５と、管理ユニット６とを備えている。本実施形態のエリアサブシステム２は、本発明の記憶システムに相当する。
【００９４】
以上、本実施形態によれば、複数のエリアサブシステム２，２を備えることによって、より多くの制御ユニット５に保存対象データＤを分散させて記憶させることができる。
【図面の簡単な説明】
【００９５】
【図１】実施形態１に係る機器管理システムの構成図である。
【図２】同上に係るセンターサーバの構成を示すブロック図である。
【図３】同上に係るエリアユニットの構成を示すブロック図である。
【図４】同上に係る制御ユニットの構成を示すブロック図である。
【図５】同上に係る制御ユニットの記憶部の構成を示すブロック図である。
【図６】同上に係るエリアユニット及び各制御ユニットの記憶残量の一例を示す図である。
【図７】同上において、（ａ）は保存対象データを示す図、（ｂ）は分割データを示す図、（ｃ）はヘッダの構成を示す図、（ｄ）はインデックス情報を示す図である。
【図８】同上に係る機器管理システムにおいて保存対象データを分散記憶する動作を示すフローチャートである。
【図９】同上に係る機器管理システムにおいて保存対象データを分散記憶する動作を示すシーケンス図である。
【図１０】同上に係る機器管理システムにおいて保存対象データを収集する動作を示すフローチャートである。
【図１１】同上に係る機器管理システムにおいて保存対象データを収集する動作を示すシーケンス図である。
【図１２】実施形態２における分割データを示す図である。
【図１３】同上に係る機器管理システムにおいて保存対象データを収集する動作を示すフローチャートである。
【図１４】同上に係る機器管理システムにおいて保存対象データを収集する動作を示すシーケンス図である。
【符号の説明】
【００９６】
１  センターサーバ（データ管理ユニット）
１３  保存要求部（保存要求手段）
１４  収集要求部（収集要求手段）
１５  復元部（復元手段）
２  エリアサブシステム（記憶システム）
４  エリアユニット（中継ユニット、記憶ユニット）
４０  記憶部（記憶手段）
４４  記憶残量確認部（記憶残量確認手段）
４５  中継部（中継手段）
４５０  一時記憶部
４６  記憶制御部（記憶制御手段）
４７  送信制御部（送信制御手段）
４８  返送要求部（返送要求手段）
４９  返送制御部（返送制御手段）
５  制御ユニット（記憶ユニット）
５ａ  第１の制御ユニット
５ｂ  第２の制御ユニット
５ｃ  第３の制御ユニット
５０  記憶部（記憶手段）
５１  上位通信部（通信手段）
５４  記憶制御部（記憶制御手段）
５５  送信制御部（送信制御手段）
５６  返送制御部（返送制御手段）
５７  返送要求部（第２の返送要求手段）
Ｎｓ  上位ネット（ネットワーク）
Ｎｍ  中位ネット（ネットワーク）
【図１】
0005346175.tif 000002
【図２】
0005346175.tif 000003
【図３】
0005346175.tif 000004
【図４】
0005346175.tif 000005
【図５】
0005346175.tif 000006
【図６】
0005346175.tif 000007
【図７】
0005346175.tif 000008
【図８】
0005346175.tif 000009
【図９】
0005346175.tif 000010
【図１０】
0005346175.tif 000011
【図１１】
0005346175.tif 000012
【図１２】
0005346175.tif 000013
【図１３】
0005346175.tif 000014
【図１４】
0005346175.tif 000015